(57)【要約】【課題】  簡単な構造であり、しかも、異なる電源事情にも対応可能な電源アダプタを提供する。【解決手段】  開口１３を具備するケース１１と、前記ケース１１内に保持される基板１２と、前記ケース１１の開口１３に嵌合する嵌合部を具備し、商用電圧が加えられるプラグ部２と、前記基板１２と前記プラグ部２とを電気的に接続する接続部とを有し、前記プラグ部２の嵌合部が前記ケース１１の開口１３により保持され、前記接続部によって前記プラグ２から前記基板１２に前記商用電圧が供給される。【選択図】  図２
2005276743.tif 000002
【特許請求の範囲】
【請求項１】
開口（１３）を具備するケース（１１）と、
前記ケース（１１）内に保持される基板（１２）と、
前記ケース（１１）の開口（１３）に嵌合する嵌合部を具備し、商用電圧が加えられるプラグ部（２）と、
前記基板（１２）と前記プラグ部（２）とを電気的に接続する接続部とを有し、
前記プラグ部（２）の嵌合部が前記ケース（１１）の開口（１３）により保持され、前記接続部によって前記プラグ（２）から前記基板（１２）に前記商用電圧が供給されることを特徴とする電源アダプタ。
【請求項２】
前記接続部は、抜き差し可能な構造であることを特徴とする請求項１に記載の電源アダプタ。
【請求項３】
前記プラグ部（２）の嵌合部に段差を設け、前記開口（１３）が前記段差に係り止めされて、前記プラグ部（２）が前記ケース（１１）に保持されることを特徴とする請求項１または２に記載の電源アダプタ。
【請求項４】
前記プラグ部（２）を複数用意し、前記プラグ部（２）を交換することを特徴とする請求項１〜３のいずれか１項に記載の電源アダプタ。
【発明の詳細な説明】
【技術分野】
【０００１】
本発明は、商用電圧を変換する電源アダプタに関する。
【背景技術】
【０００２】
電源アダプタには、コンセントに差し込まれるプラグがケースに直接設けられているものがある。この電源アダプタの場合、例えば国内や海外での使用に際して、各国によって電源事情が異なるために、使用されるコンセントが異なる。このために、電源事情が異なる場所で機器を使用する場合、この機器用の電源アダプタのケースを交換する必要がある。こうした不便さを解消するために、電源アダプタのケースにインレットのコネクタを設け、コンセントを交換可能にしたものがある（特許文献１）。
【特許文献１】特開平７−３２０８２７号公報
【発明の開示】
【発明が解決しようとする課題】
【０００３】
前記の従来技術、つまり、プラグが交換可能な電源アダプタには、次の課題がある。この電源アダプタでは、プラグを交換可能にしているために、プラグの差し込み構造やロック構造、ロックを解除するための解除ボタン等を有し、プラグを交換可能にするための構造が複雑である。このために、電源アダプタを構成する部品点数が多くなり、信頼性が低下し、電源アダプタのコストが上昇してしまう。
【０００４】
本発明は、前記の課題を解決し、簡単な構造であり、しかも、異なる電源事情にも対応可能な電源アダプタを提供することにある。
【課題を解決するための手段】
【０００５】
前記課題を解決するために、請求項１の発明は、開口を具備するケースと、前記ケース内に保持される基板と、前記ケースの開口に嵌合する嵌合部を具備し、商用電圧が加えられるプラグ部と、前記基板と前記プラグ部とを電気的に接続する接続部とを有し、前記プラグ部の嵌合部が前記ケースの開口により保持され、前記接続部によって前記プラグから前記基板に前記商用電圧が供給されることを特徴とする電源アダプタである。
請求項２の発明は、請求項１に記載の電源アダプタにおいて、前記接続部は、抜き差し可能な構造であることを特徴とする。
請求項３の発明は、請求項１または２に記載の電源アダプタにおいて、前記プラグ部の嵌合部に段差を設け、前記開口が前記段差に係り止めされて、前記プラグ部が前記ケースに保持されることを特徴とする。
請求項４の発明は、請求項１〜３のいずれか１項に記載の電源アダプタにおいて、前記プラグ部を複数用意し、前記プラグ部を交換することを特徴とする。
【発明の効果】
【０００６】
請求項１の発明によれば、ケースと、基板と、嵌合部を具備するプラグ部と、接続部とを有するのみであり、構造を簡単にすることができる。
請求項２の発明によれば、接続部を抜き差しできる構造をしているので、プラグ部の交換を容易にすることができる。
請求項３の発明によれば、嵌合部に段差を設けたので、プラグ部をケースに保持することができ、基板との接続している部分に余分なストレスが加わらない。
請求項４の発明によれば、プラグ部を複数用意すれば、異なる電源事情に対応することができる。
【発明を実施するための最良の形態】
【０００７】
つぎに、本発明の実施形態について説明する。本実施形態による電源アダプタは、図１に示すように、電源部１とプラグ部２とを備えている。
【０００８】
電源部１は、図２に示すように、下ケース１１Ａと上ケース１１Ｂと基板１２とを備えている。下ケース１１Ａと上ケース１１Ｂとは、箱体のケース１１（図１）を形成する。下ケース１１Ａの側壁には、長方形状の切り欠き１３Ａが設けられ、同じように、上ケース１１Ｂの側壁には、長方形状の切り欠き１３Ｂが設けられている。図３に示すように、上ケース１１Ｂが下ケース１１Ａに合わされ、ケース１１が形成されときに、切り欠き１３Ａと切り欠き１３Ｂとによって、開口１３が形成される。なお、図３では、基板１２の図示を省略している。
【０００９】
基板１２は、図示を省略しているが、トランス等を備えると共に、商用電源の交流電圧を直流電圧に変換する電源回路が形成されている。さらに、基板１２には、後述するプラグ部２の接触片２３が差し込まれる受け部分１４が設けられている。受け部分１４は、基板１２の電源回路に交流電圧を加えるためのものである。
【００１０】
プラグ部２は、プラグ本体２１と、差し込み片２２と、接触片２３とを備えている。プラグ本体２１の正面には、２つの差し込み片２２が設けられ、側面には、ケース１１の開口１３と嵌合する台部分２１Ａが嵌合部として設けられている。台部分２１Ａの両側には段差２１Ａ１が設けられ、台部分２１Ａの正面には、２つの接触片２３が設けられている。プラグ本体２１内で、差し込み片２２は接触片２３にそれぞれ電気的に接続されている。差し込み片２２は、コンセント（図示を省略）に差し込まれて、交流電圧が加えられる。
【００１１】
前記構成の電源アダプタでは、台部分２１Ａは、電源部１の開口１３に嵌め合う。つまり、開口１３の両側が台部分２１Ａの段差２１Ａ１に嵌め合うように、プラグ部２は開口１３に取り付けられる。これにより、プラグ部２が電源部１に固定される。プラグ部２の固定と同時に、図４に示すように、プラグ部２の接触片２３が電源部１の基板１２の受け部分１４に差し込まれて、差し込み片２２が受け部分１４と電気的に接続される。これにより、プラグ部２からの交流電圧が電源部１に供給される。なお、本実施形態では、接触片２３と受け部分１４とにより接合部が構成されている。
【００１２】
本実施形態では、図５（ａ)、（ｂ）に示すように、各電源事情に対応した電源ピン３１Ａ、３２Ａを備えるプラグ部３１、３２や、図５（ｃ）に示すように、電源ケーブルが差し込まれるインレットを、プラグ部２とは別に用意すれば、本実施形態による電源アダプタは、異なる電源事情にも対応可能である。しかも、本実施形態では、プラグ部２を電源部１に差し込むだけで、電源部１とプラグ部２とを電気的に接続した状態になるので、接続を簡単に行うことができる。
【００１３】
以上、本発明の実施形態を詳述してきたが、具体的な構成は本実施形態に限られるものではなく、本発明の要旨を逸脱しない範囲の設計の変更等があっても、本発明に含まれる。たとえば、電源部１とプラグ部２とを接続するために、図６（ａ）に示すように、プラグ部２の台部分２１Ａには、差し込み片２２と電気的に接続された端子４１を設け、基板１２には、受け部分１４の代わりにホール１２Ａを設ける。そして、端子４１とホール１２Ａとを多心のケーブル４２で接続してもよい。
【００１４】
また、図６（ｂ）に示すように、プラグ部２の台部分２１Ａには、差し込み片２２と電気的に接続された単心のケーブル４３を設け、このケーブル４３の先端を基板１２のホール１２Ａに接続してもよい。
【図面の簡単な説明】
【００１５】
【図１】本発明の実施形態１による電源アダプタを示す斜視図である。
【図２】図１の分解斜視図である。
【図３】電源部を示す斜視図である。
【図４】電源部とプラグ部との接続を示す斜視図である。
【図５】プラグ部の他例を示す斜視図である。
【図６】電源部とプラグ部との接続の他例を示す斜視図である。
【符号の説明】
【００１６】
１  電源部
１１  ケース
１１Ａ  下ケース
１１Ｂ  上ケース
１２  基板
１２Ａ  ホール  １３  開口
１３Ａ、１３Ｂ  切り欠き
１４  受け部分
２  プラグ部
２１  プラグ本体
２１Ａ  台部分
２２  差し込み片
２３  接触片
【図１】
2005276743.tif 000003
【図２】
2005276743.tif 000004
【図３】
2005276743.tif 000005
【図４】
2005276743.tif 000006
【図５】
2005276743.tif 000007
【図６】
2005276743.tif 000008